(57)【特許請求の範囲】
【請求項１】
検出電極を有し物体の近接を検知する物体検知手段と、前記物体検知手段からの信号を受けて照明の点滅を制御する点滅制御手段と、前記点滅制御手段を格納する格納手段と、前記格納手段および前記物体検知手段を支持するサポート手段と、前記検出電極を覆う電極カバー部材と、前記サポート手段に固定される押え板と、前記押え板を介して取り付けられる化粧板とを設けたことを特徴とする照明点滅装置。
【請求項２】
請求項１において、前記電極カバー部材は、爪部を有し、前記サポート部材に前記爪部により固定されており、前記爪部は前記押え板により拘束される状態で前記サポート手段に固定されていることを特徴とする照明点滅装置。
【請求項３】
請求項１または２において、前記電極カバー部材は、前記格納手段を前記サポート手段に固定するための止めネジを覆っていることを特徴とする照明点滅装置。
【発明の詳細な説明】
【０００１】
【産業上の利用分野】
本発明は静電容量の変化を検知し、白熱灯または蛍光灯などの照明器具やファンをオンもしくはオフさせる照明点滅装置に関するものである。
【０００２】
【従来の技術】
従来、壁などに取り付けられ、照明器具やファンを点滅させる壁スイッチには、機械的スイッチや焦電型赤外線センサを用いたものがある。
【０００３】
【発明が解決しようとする課題】
しかし、機械的スイッチは操作が面倒であり、特に手が汚れているときなどはスイッチおよびその回りの化粧板を汚す。また、焦電型赤外線センサは赤外線を集光するためのレンズが必要であり、デザインに自由度がない上、ストーブなどの熱源によって誤動作することがある。さらに、これらの照明点滅装置においては、前面の化粧板を取り外したときに電極が露出していたので、本体を壁に取り付ける場合に、ゴミなどの付着により誤動作が発生したり、あるいは人体に帯電した静電気が電極を通じて内部の回路を破壊するという問題点を有していた。さらに、高電圧部を有する点滅制御手段を本体に保持するネジが外部に露出していたので、誤って点滅制御手段を取り外し、感電する危険性があるという問題点を有していた。
【０００４】
そこで本発明の目的は、電極および電源回路部を本体に保持する手段を覆う電極カバー部材を有する非接触の照明点滅装置を提供することにある。
【０００５】
【課題を解決するための手段】
以上の課題を解決するため、本発明の照明点滅装置では、検出電極を有し物体の近接を検知する物体検知手段と、前記物体検知手段からの信号を受けて照明の点滅を制御する点滅制御手段と、前記点滅制御手段を格納する格納手段と、前記格納手段および前記物体検知手段を支持するサポート手段と、前記検出電極を覆う電極カバー部材と、前記サポート手段に固定される押え板と、前記押え板を介して取り付けられる化粧板とを設けている。また、前記電極カバー部材は、爪部を有し、前記サポート部材に前記爪部により固定されており、前記爪部は押え板により拘束される状態で前記サポート手段に固定されている構成としてもよい。また、前記電極カバー部材は、前記格納手段を前記サポート手段に固定するための止めネジを覆っていてもよい。
【０００６】
【実施例】
以下、本発明の構成を添付図面に示した好適な実施例に基づいて説明する。図１は本発明の照明点滅装置の外観図、図２は本発明の照明点滅装置の側面図である。 図１、２において、後述する点滅制御手段などを格納する格納手段３に、後述するサポート手段４、押さえ板２を介して化粧板１が取り付けられ、壁面Ａに固定されている。
【０００７】
図３は、図１の化粧板１を取り外した場合の正面図であり、図４は、その断面図である。検出電極８は、折曲部８ａにより、センサ基板９と一定の高さを保って、シールド板１０を介して公知の方法でサポート手段４に固定されている。なお、センサ基板９は検出電極８と平面形状が略同一であるため、図３では省略されている。検出電極８を覆う電極カバー部材５が、爪部５ａにより、サポート手段４に固定されている。
【０００８】
また、押さえ板２は、前記爪部５ａが外側に開かないように拘束した状態で押さえ板止めネジ６によりサポート手段４に固定されている。またサポート手段４は取り付けネジ７により壁面Ａに固定される。
【０００９】
図４において、静電容量を検知する検出電極８と、検出電極８により物体の近接を検知し、照明の点滅信号を発生するセンサ基板９と、電気的ノイズから検出電極８とセンサ基板９を保護するシールド板１０とにより物体検知手段１１を構成する。検出電極８とシールド板１０とはセンサ基板９に半田付けされ、前述の通りネジによってサポート手段４に固定されている。また、物体検知手段１１からの出力信号を受けて照明の点滅を制御する点滅制御手段１２は、ネジ１３により格納手段３に固定される。点滅制御手段１２は、物体検知手段１１とリード線で接続され、物体検知手段１１からの信号を受け照明の点滅を制御する。点滅制御手段１２は、格納手段３の背面から公知の商用電源用の高電圧の入出力端子を有する。図５は爪部５ａの近傍の拡大図である。図５において、押え板２の端部２ａは、サポート手段４に設けられた切り欠き部４ａに固定された爪部５ａが外側に開いて外れることのないように、爪部５ａを拘束している。
【００１０】
この実施例によれば、電極カバー部材５は、物体検知手段１１を覆い、サポート手段４に固定される爪部５ａは、押さえ板２によって隠れていて一般使用者が取り外しできない構成となっているので、物体検知手段１１部におけるゴミなどの付着による誤動作がない。また、人体に帯電した静電気が検出電極を通じてセンサ基板９を破壊することもない。また本実施例では、電極カバー部材５は検出電極８と共に、格納手段３をサポート手段４に固定するための止めネジ１５を覆い、かつ一般使用者が取り外しできない構成となっているので、点滅制御手段１２の高電圧部による感電の危険がない。
【００１１】
なお、上記実施例においては、サポート手段４と電極カバー５の固定法は爪部５ａを用いて構成した場合について説明したが、サポート手段４の背面からネジを用いて電極カバー部材５を固定しても上記実施例と同様な作用を行うことができる。
【００１２】
【発明の効果】
以上に説明したように、検出電極、センサ基板、シールド板で構成される物体検知手段とを覆う電極カバー部材を一般使用者が取り外しできないようにサポート手段に固定する構造であるから、静電容量検出回路部におけるゴミなどの付着による誤動作および帯電による破壊を防止できる。また、人体が直接検出電極に触れることがないので、人体に帯電した静電気によってセンサ基板９を破壊することがない。さらに、一般使用者が電源回路部を取り外すことができないので、電源回路部内の高電圧部による感電を防止するという効果がある。
【図面の簡単な説明】
【図１】  本発明の照明点滅装置の外観図である。
【図２】  本発明の照明点滅装置の外観側面図である。
【図３】  本発明の照明点滅装置の正面図である。
【図４】  本発明の照明点滅装置の側面図および要部断面図である。
【図５】  図３の要部説明のための断面図である。
【符号の説明】
１１  静電容量検出回路部
３  格納手段
１４  点滅制御手段
４  サポート手段
１５  保持手段
２  押え板
５  電極カバー部材
８  検出電極
【図１】
0003681417.tif 000002
【図２】
0003681417.tif 000003
【図３】
0003681417.tif 000004
【図４】
0003681417.tif 000005
【図５】
0003681417.tif 000006